(57)【特許請求の範囲】
【請求項１】
遊技板に取り付けられる台板を備えており、該台板の表側には水平支軸の軸回りの回動に伴って開閉せしめられる開閉部材が設けられている一方、前記台板の裏側には進退作動せしめられるプランジャを有するソレノイドが設けられていると共に、前記プランジャと前記開閉部材の間に伝達部材が設けられており、前記プランジャの進退作動を前記伝達部材を介して前記開閉部材に及ぼすことで該開閉部材が開閉作動せしめられるパチンコ用の可変入賞装置において、
前記ソレノイド及び前記伝達部材を、前記台板の裏側に設けたケースの内部空間に収容せしめると共に、前記伝達部材を前記ケースにおいて水平方向に設けられた回動軸の軸回りに回動可能に支持せしめ、前記開閉部材の重心位置を前記水平支軸に対して偏倚せしめることによって、前記伝達部材の作用力が及ぼされない状態下で前記開閉部材を重力の作用を用いて開作動せしめる一方、前記伝達部材に向けて突出せしめられた案内突部を有すると共に、前記プランジャの進出位置において前記伝達部材の上面における前記回動軸よりも前記台板側の上係合面及び前記伝達部材の下面における前記回動軸よりも前記ソレノイド側の下係合面の少なくとも一方と係合せしめられる係合部を有する作用部を前記プランジャの先端部に設けることによって、前記プランジャを進出せしめる際に前記案内突部を前記伝達部材の上面に当接せしめて前記伝達部材の回動を介して前記開閉部材を閉作動せしめると共に、前記プランジャの進出位置において前記係合部を前記上係合面及び前記下係合面の少なくとも一方に係合せしめて前記伝達部材の前記回動軸の軸回りの回動を阻止して前記開閉部材を閉状態に維持せしめる一方、前記プランジャを後退せしめて前記係合部と前記伝達部材との係合状態を解除することによって該伝達部材の前記回動軸の軸回りの回動を許容して前記開閉部材を開作動せしめることを特徴とするパチンコ用の可変入賞装置。
【請求項２】
遊技板に取り付けられる台板を備えており、該台板の表側には水平支軸の軸回りの回動に伴って開閉せしめられる開閉部材が設けられている一方、前記台板の裏側には進退作動せしめられるプランジャを有するソレノイドが設けられていると共に、前記プランジャと前記開閉部材の間に伝達部材が設けられており、前記プランジャの進退作動を前記伝達部材を介して前記開閉部材に及ぼすことで該開閉部材が開閉作動せしめられるパチンコ用の可変入賞装置において、
前記ソレノイド及び前記伝達部材を、前記台板の裏側に設けたケースの内部空間に収容せしめると共に、前記伝達部材を前記ケースにおいて水平方向に設けられた回動軸の軸回りに回動可能に支持せしめ、前記開閉部材の重心位置を前記水平支軸に対して偏倚せしめることによって、前記伝達部材の作用力が及ぼされない状態下で前記開閉部材を重力の作用を用いて開作動せしめる一方、前記伝達部材の上面における先端部に上方に突出する壁部を形成して、前記プランジャの先端部に、前記伝達部材に向けて突出せしめられた案内突部を有する作用部を設けることによって、前記プランジャを進出せしめる際に前記案内突部を前記伝達部材の前記壁部に当接せしめて前記伝達部材の回動を介して前記開閉部材を閉作動せしめると共に、前記プランジャの進出位置において前記案内突部を前記伝達部材の上面との間に所定の空隙をもった状態で前記壁部に係合せしめて前記伝達部材の前記回動軸の軸回りの回動を阻止して前記開閉部材を閉状態に維持せしめる一方、前記プランジャを後退せしめて前記案内突部と前記壁部との係合状態を解除することによって前記伝達部材の前記回動軸の軸回りの回動を許容して前記開閉部材を開作動せしめることを特徴とするパチンコ用の可変入賞装置。
【請求項３】
請求項１又は２に記載のパチンコ用の可変入賞装置を備えたパチンコ機。
【発明の詳細な説明】
【技術分野】
【０００１】
本発明は、開閉部材を開閉作動せしめることによって、遊技球が入り易い開状態と、開状態よりも遊技球が入り難い閉状態を採り得るパチンコ用の可変入賞装置、および、かかる可変入賞装置を備えたパチンコ機に関するものである。
【背景技術】
【０００２】
従来から、パチンコ機においては、当落抽選を行なう始動入賞口や、遊技球が入ることによって賞球を払い出す大入賞口など特定の入賞口に、遊技球が入り易い状態と入り難い状態を選択的に発現せしめる可変入賞装置が用いられたものが多い。
【０００３】
このような可変入賞装置は、一般的には、所謂羽根や扉と呼ばれる開閉可能な開閉部材と、進退動可能なプランジャを備えたソレノイドを設けると共に、開閉部材とプランジャとの間に伝達部材を設けて、プランジャの進退作動を伝達部材を介して開閉部材に伝達することによって、開閉部材を開閉作動せしめるようにされている。
【０００４】
ところが、近年では、針金や板材等をパチンコ機の遊技板前面とガラス板との間に侵入させて、閉状態とされた開閉部材を無理に開いて遊技球を入球せしめることによって、不当な賞球を得るという不正行為が行なわれることがある。
【０００５】
このような問題に対処するために、例えば特許文献１には、開閉部材において後方に突出する係止突部を形成すると共に、ソレノイドの駆動に合わせて上下動せしめられる係止片を設けて、ソレノイドの非駆動時に開閉部材が開方向に回動せしめられた際には、係止突部が係止片に係止せしめられることによって、開閉部材の開方向への回動を阻止するようにされた可変入賞装置が提案されている。
【０００６】
ところが、特許文献１に記載の如き構造では、係止突部と係止片の間に僅かな空隙が形成されていることから、ソレノイドの非駆動時においても、開閉部材の僅かな回動を許容してしまう。それ故、開閉部材が無理に開かれようとした場合には、開閉部材に連結された伝達部材が回動せしめられることに起因して、伝達部材を支持する支持軸に曲げ方向の応力が加わり、支持軸を変形せしめたり、破損するおそれがあった。また、僅かではあるが開作動を許容してしまうことから、不正防止手段として十分なものとは言い難かった。
【０００７】
そこで、例えば特許文献２には、開閉部材の閉作動時に伝達部材を上方から抑え付ける抑え片をプランジャの先端部に設けた可変入賞装置が提案されている。このようにすれば、開閉部材を無理に開こうとしても、抑え片によって伝達部材の回動が強固に阻止されていることから、開閉部材の閉状態を強固に維持することが出来ると共に、伝達部材を介して支持軸に曲げ応力が加わるおそれも回避することが出来る。
【０００８】
しかし、特許文献２に記載の如き可変入賞装置においては、開作動時において伝達部材を回動せしめると共に、伝達部材を開作動位置に保持する係合片が、抑え片と共にプランジャの先端部に併せて設けられている。それ故、抑え片と係合片が互いに干渉することのない部材形状や互いの形成位置を精密に設定する必要があって、設計が複雑であるという問題があった。
【０００９】
さらに、開閉部材の開状態を維持するために、開状態において係合片と伝達部材との係合状態が維持されていることから、例えば羽根の外側面など、開状態とされた開閉部材を閉じようとする方向に遊技球が衝突せしめられると、かかる衝突の衝撃が伝達部材を介してソレノイドに伝達されてしまう。それ故、遊技球の繰り返しの打ち当たりに起因して、ソレノイドを損傷したり、ソレノイドの作動に不具合を生じるおそれもあった。
【００１０】
【特許文献１】特開２００１−１９８３０７号公報
【特許文献２】特許第３３９４２２９号公報
【発明の開示】
【発明が解決しようとする課題】
【００１１】
ここにおいて、本発明は上述の如き事情を背景として為されたものであって、その解決課題とするところは、簡易な構成をもって、開閉部材に対する外部からの無理な開放を有効に防止すると共に、構成部材に無理な応力が作用することを有効に回避し得る、新規な構造のパチンコ用の可変入賞装置を提供することにある。
【００１２】
また、本発明は、そのような可変入賞装置を備えたパチンコ機を提供することも目的とする。
【課題を解決するための手段】
【００１３】
以下、前述の如き課題を解決するために為された本発明の態様を記載する。なお、以下に記載の各態様において採用される構成要素は、可能な限り任意の組み合わせで採用可能である。
【００１４】
すなわち、請求項１に記載の発明は、台板の表側に水平支軸の軸回りに回動せしめられる開閉部材が設けられる一方、台板の裏側にプランジャを進退作動せしめるソレノイドを設けると共に、プランジャと開閉部材の間に伝達部材を設けて、プランジャの進退作動を伝達部材を介して開閉部材に伝達することによって開閉部材を開閉作動せしめるパチンコ用の可変入賞装置において、開閉部材の重心位置を水平支軸に対して偏倚せしめることによって開閉部材に及ぼされる重力の作用を用いて開閉部材を開作動せしめると共に、伝達部材を回動軸の軸回りに回動可能に支持せしめる一方、プランジャの先端に作用部を設けて、かかる作用部に伝達部材に向けて突出せしめられる案内突部と、伝達部材の上面における回動軸よりも台板側の上係合面及び伝達部材の下面における回動軸よりもソレノイド側の下係合面の少なくとも一方と係合せしめられる係合部とを設け、これにより、プランジャを進出作動せしめる際に案内突部を伝達部材の上面に当接せしめることによって伝達部材を回動せしめて開閉部材を閉作動せしめると共に、プランジャの進出位置において係合部を上係合面および下係合面の少なくとも一方に係合せしめて伝達部材の回動を阻止する一方、プランジャを後退せしめて係合部と伝達部材との係合状態を解除して伝達部材の回動を許容することによって、開閉部材を開作動せしめるようにしたことを、特徴とする。
【００１５】
このようにすれば、開閉部材が閉作動せしめられている状態下においては、プランジャに設けられた係合部を伝達部材に係合せしめることによって、伝達部材の回動を強固に阻止することが出来る。これにより、閉状態とされた開閉部材を無理に開こうとしても、伝達部材の回動を阻止出来ることから、開閉部材を閉状態に強固に維持することが出来る。このように、請求項１に記載の発明によれば、簡易な構造をもって、不正行為を有効に防止することが出来る。
【００１６】
そして、開閉部材が開作動せしめられた際には、伝達部材と係合部との係合状態が解除されて、伝達部材の自由な回動が許容されるようになっている。これにより、開閉部材は、開状態とされた場合でも、閉作動せしめる方向に力が加えられた場合には、閉作動方向への回動が許容されている。それ故、例えば、開状態とされた開閉部材の側面に遊技球が衝突せしめられた場合には、衝突の衝撃によって開閉部材を一時的に閉作動せしめる等することが出来て、開閉部材の動きに変化を与えることが出来ると共に、入賞球数を抑えることも出来る。更に、開状態において伝達部材と作用部が非係合状態とされていることから、遊技球の開閉部材に対する打ち当たりの衝撃が伝達部材を介してプランジャやソレノイドに伝達されるようなことも回避されている。これにより、開閉部材に対する遊技球の繰り返しの打ち当たりによる衝撃がソレノイドに伝達されて、ソレノイドを損傷するようなことも有効に回避することが出来るのである。
【００１７】
なお、請求項１及び以下に示す請求項２に記載の発明における閉状態は、開状態に比して遊技球が入り難くされれば良いのであって、必ずしも入球が不可能とされる必要は無い。従って、開閉部材として、閉状態において完全に閉塞されるものに限定されることは無く、例えば、一対の羽根を開閉可能に設けて、閉状態においても羽根の間に僅かな隙間を形成することによって、入球が可能とされたもの等でも良い。
【００１８】
また、本発明における係合部は、伝達部材の上係合面および下係合面の少なくとも一方と係合せしめられていれば良い。従って、本発明における係合部は、例えば、上係合面および下係合面の両方に係合せしめても良いし、或いは、上係合面および下係合面の何れか一方のみと係合せしめる等しても良い。
【００１９】
例えば、係合部を上係合面および下係合面の両方に係合せしめる態様によれば、伝達部材の回動軸の軸回りの回動をより強固に阻止することが出来る。ここにおいて、係合部における上係合面に係合せしめられる部位と下係合面に係合せしめられる部位は、それぞれ別体として形成されても良いが、好適には、これら上係合部および下係合部に係合せしめられる部位が作用部に一体形成されていることが好ましい。このようにすれば、単一の部材で伝達部材の上下係合面を係止することによって、伝達部材の回動の作用がプランジャの本体部分に伝達されることを抑えることが出来る。これにより、開閉部材を無理に開こうとした際に伝達部材の回動がプランジャを介してソレノイドに伝達されて、ソレノイドを損傷するようなことも有効に回避することが出来る。
【００２０】
また、例えば、係合部を下係合面のみに係合せしめる態様を採用することも可能である。このようにすれば、係合部が伝達部材における回動軸よりもソレノイド側の部位に位置する下係合面と係合せしめられることから、ソレノイドに近い位置で伝達部材の回動を係止することが出来る。これにより、伝達部材の回動を安定して阻止することが出来る。
【００２１】
更にまた、例えば、係合部を上係合面のみに係合せしめる態様を採用することも可能である。特に本態様においては、例えば、作用部において前方に突出する案内突部を形成すると共に、かかる案内突部の下面を係合部として、伝達部材の上係合面に対して係合せしめる等することによって、案内突部と係合部を一体として構成する等しても良い。このようにすれば、より簡易な構造をもって、上述の如き効果を得ることが出来る。
【００２２】
また、請求項２に記載の発明は、台板の表側に水平支軸の軸回りに回動せしめられる開閉部材が設けられる一方、台板の裏側にプランジャを進退作動せしめるソレノイドを設けると共に、プランジャと開閉部材の間に伝達部材を設けて、プランジャの進退作動を伝達部材を介して開閉部材に伝達することによって開閉部材を開閉作動せしめるパチンコ用の可変入賞装置において、開閉部材の重心位置を水平支軸に対して偏倚せしめることによって開閉部材に及ぼされる重力の作用を用いて開閉部材を開作動せしめると共に、伝達部材を回動軸の軸回りに回動可能に支持せしめ、伝達部材の上面における先端部に上方に突出する壁部を形成する一方、プランジャの先端に作用部を設けて、かかる作用部に伝達部材に向けて突出せしめられる案内突部を設け、これにより、プランジャを進出作動せしめる際に案内突部を伝達部材の壁部に当接せしめることによって伝達部材を回動せしめて開閉部材を閉作動せしめると共に、プランジャの進出位置において案内突部を伝達部材の上面との間に所定の隙間をもった状態で壁部に係合せしめて伝達部材の回動を阻止する一方、プランジャを後退せしめて案内突部と壁部との係合状態を解除して伝達部材の回動を許容することによって、開閉部材を開作動せしめるようにしたことを、特徴とする。
【００２３】
このようにすれば、案内突部を伝達部材の上面に形成した壁部に係合せしめることによって、開閉部材の閉状態における伝達部材の回動を有効に阻止することが出来る。これにより、簡易な構成をもって、前述の態様と同様の効果を得ることが出来る。即ち、開閉部材の閉状態を強固に維持して、不正行為を防止出来ると共に、回動軸の損傷を抑えることも出来る。また、開閉部材が開作動せしめられた際には、案内突部と壁部との係合状態を解除することによって、開作動中の一時的な閉作動を許容して開閉部材の動きに変化を与えると共に、開閉部材への遊技球の衝突の衝撃がソレノイドに及ぼされることを防ぐことも出来る。
【００２４】
さらに、特に請求項２に記載の発明によれば、作用部に設けられた案内突部によって伝達部材を回動せしめ、回動位置に保持するようにされていることから、より簡易な構成をもって、上述の如き効果を得ることが出来る。また、特に請求項２に記載の発明によれば、伝達部材の上面と案内突部との間に所定の隙間が形成された非接触状態とされていることから、たとえ伝達部材と案内突部との係合状態において伝達部材に上方向への回動力が及ぼされたとしても、作用部に上向きの力が伝達されることを抑えることが出来る。
【００２５】
また、本発明は、上述の如きパチンコ用の可変入賞装置を備えたパチンコ機をも、含むものである。
【００２６】
このようなパチンコ機においては、遊技板前面とガラス板との間に針金などを侵入させて閉状態とされた開閉部材を無理に開くような不正行為を、簡易な構造をもって、有効に防止することが出来る。
【発明を実施するための最良の形態】
【００２７】
以下、本発明を更に具体的に明らかにするために、本発明の実施形態について、図面を参照しつつ、詳細に説明する。なお、以下の説明において、上下方向および左右方向とは、原則として、遊技者から見た上下方向および左右方向をいうものとし、表面、裏面および前面、後面についても、原則として、遊技者側を表面および前面というものとする。
【００２８】
先ず、図１に、本発明の第一の実施形態としての可変入賞装置としての始動入賞装置１０を備えたパチンコ機１１を示す。パチンコ機１１において機体の外郭をなす外枠１２の開口前面側には、各種の遊技用構成部材をセットする縦長方形の中枠１４が開閉および着脱自在に組み付けられている。中枠１４の前面側には、中枠１４に対して着脱自在に組み付けられた遊技盤１６を透視保護するためのガラス板が保持されたガラス枠１８と、上皿２０を備えた皿板２２が、それぞれ、開閉可能な状態で組み付けられている。また、上皿２０の下方には、下皿２４が設けられており、かかる下皿２４の右方には、発射ハンドル２６が設けられている。
【００２９】
そして、遊技者が発射ハンドル２６に対して回動操作可能に装着された発射レバー２８を回動操作することにより、上皿２０に貯留された遊技球が球送り機構（図示せず）を介して発射装置（図示せず）に送られた後、遊技盤１６に形成された遊技領域３０に向けて発射されるようになっている。
【００３０】
遊技盤１６は、表面に合成樹脂製のシートが被着された遊技板３２を備えており、かかる遊技板３２の表面側に固定されたガイドレール３４で囲まれた略円形の遊技領域３０の略中央には、特別図柄の変動表示や各種の演出表示を行なう図柄表示装置としての液晶表示器３６が取り付けられている。
【００３１】
また、液晶表示器３６の下側には、可変入賞装置としての始動入賞装置１０が設けられており、かかる始動入賞装置１０の下方には、大入賞口４０が設けられている。
【００３２】
大入賞口４０には、扉４２が開閉可能に配設されている。扉４２は、通常の遊技状態では閉状態に維持されて遊技者に不利な状態とされる一方、大当たりが発生した場合には開閉動作せしめられて遊技者に有利な大当たり状態とされるようになっている。
【００３３】
一方、始動入賞装置１０は、図２乃至図４に示すように、遊技板３２の表側に配設される入賞口部材４４と、遊技板３２の裏側に配設される機構部材４６とによって構成されており、入賞口部材４４の裏側に機構部材４６が取り付けられることによって構成されている。なお、図２においては、遊技板３２の前面に配設されて遊技者から視認可能とされた部位（入賞口部材４４）のみを示す。
【００３４】
入賞口部材４４は、台板としての取付板４８の前方に前飾り５０が取り付けられた構造とされており、全体として上方に開口するポケット形状とされている。そして、前飾り５０の下方における左右方向の略中央部分には、上方に開口して後方に延び出す表側導入部材５２が取り付けられている。表側導入部材５２は、全体に亘って一定の略Ｕ字状断面をもって延びる略半円筒形状の部材とされており、その上方の開口幅寸法は、遊技球の径寸法よりも僅かに大きく、遊技球を案内可能な寸法をもって形成されている。また、表側導入部材５２は、後方に行くに連れて下方に傾斜せしめられており、後端部が取付板４８を通じて入賞口部材４４の後方に開口せしめられている。そして、表側導入部材５２における取付板４８の前方に突出せしめられた部位によって、上方に開口する入球口としてのポケット状の始動口５４が形成されている。
【００３５】
また、始動口５４の上方の左右両側には、開閉部材としての一対の羽根５６，５６が起立および傾動自在に配設されている。羽根５６は、その下部におけるやや外側寄りに設けられた水平支軸５８によって取付板４８と前飾り５０の間で傾動可能に支持されていると共に、水平支軸５８からやや離れた内側寄りの部位には、後方に突出するロッド状の係合突起６０が一体的に形成されている。
【００３６】
なお、図２に示すように、本実施形態における羽根５６，５６の先端部には錘６１，６１が設けられている。これにより、羽根５６，５６は、重心位置が水平支軸５８，５８の外側に位置せしめられており、羽根５６，５６に及ぼされる重力の作用によって、水平支軸５８，５８を中心に外側に傾動せしめられて開作動せしめられるようになっている。但し、錘６１、６１は必ずしも必要ではなく、例えば、羽根５６，５６の形状を調節して重心位置を調節する等しても良い。
【００３７】
そして、開作動せしめられた羽根５６，５６は、後述する伝達部材６８，６８によって係合突起６０に下向きの駆動力が及ぼされることによって、水平支軸５８回りの駆動力が及ぼされて、内側へ回動せしめられる。これにより、羽根５６，５６は起立せしめられて閉作動せしめられるようになっている。ここにおいて、本実施形態においては、羽根５６，５６が閉作動せしめられることによって、遊技球が入り難い入賞困難状態が発現せしめられる一方、羽根５６，５６が開作動せしめられることによって、遊技球が入り易い入賞容易状態が発現せしめられるようになっている。なお、本実施形態においては、羽根５６，５６が起立せしめられた入賞困難状態においても、始動口５４が完全に塞がれることは無く、羽根５６，５６の間には始動口５４よりも僅かに大きな間隙が形成されて入球が可能とされている。
【００３８】
このような構造とされた入賞口部材４４の裏側には、機構部材４６が取り付けられる。機構部材４６は、前後方向に延びるケースとしてのカバー部材６２の内部に、後述するソレノイド７８および伝達部材６８，６８などが収容されて構成されている。なお、カバー部材６２は、取付板４８側に開口部６４を有する略箱体形状とされており、図４においては、カバー部材６２の内部の理解を容易とするために、カバー部材６２の上面を取り除いた形を図示する。
【００３９】
かかるカバー部材６２には、開口部６４からやや後方の両側面において、内側に向けて略水平方向に突出する回動軸６６，６６が形成されている。そして、回動軸６６，６６には、伝達部材６８，６８が回動可能に取り付けられている。
【００４０】
伝達部材６８には、前方に開口する切欠７０が形成されており、切欠７０に、羽根５６の係合突起６０が差し入れられている。また、図５にも示すように、伝達部材６８の上下面は、それぞれ前後方向に広がる平坦形状とされており、上面における回動軸６６，６６より前方の部位には、上係合面としての上平坦面７２が形成されている一方、下面における回動軸６６より後方の部位には、下係合面としての下平坦面７４が形成されている。
【００４１】
そして、カバー部材６２における後方の部位には、プランジャ７６を水平前後方向に進退作動せしめるソレノイド７８が配設されている。ソレノイド７８は、従来公知の電磁ソレノイドであり、カバー部材６２の後方に形成された載置板部８０上に配設されている。そして、ソレノイド７８の後側端部がカバー部材６２の後面に貫設された後側開口部８２から僅かに外方に露出せしめられており、ソレノイド７８に電力を供給する給電ケーブル８４がカバー部材６２の外部に延び出されて、図示しない電源装置と電気的に接続されている。
【００４２】
また、プランジャ７６は、ストレートに延びる軸部７７と、軸部７７の先端部に作用部としての案内保持部８６が一体的に形成された構造とされている。そして、軸部７７にはコイルスプリング８８が外挿せしめられており、コイルスプリング８８の両端部がそれぞれ案内保持部８６とソレノイド７８で係止されることによって、案内保持部８６とソレノイド７８が互いに離隔する方向に常時付勢せしめられている。これにより、ソレノイド７８は、励磁されることによってプランジャ７６を引込作動せしめる一方、消磁されることによってプランジャ７６を突出作動せしめるようにされている。
【００４３】
また、案内保持部８６は、カバー部材６２内の左右両側に配設された伝達部材６８，６８に亘る左右方向寸法をもって形成されており、図５にも示すように、その上下端部に、伝達部材６８，６８に向けて突出せしめられた案内突部としての上突出部９０および下突出部９２が形成されていることによって、略一定の略Ｕ字状断面をもって形成されている。そして、上突出部９０と下突出部９２の間に、前方に開口せしめられて伝達部材６８，６８を収容する収容開口部９４が形成されている。
【００４４】
上突出部９０は、下突出部９２よりも前方に突出せしめられており、上突出部９０における突出先端部分の下面は、プランジャ７６の移動方向と略同じ方向に広がる平坦面とされている。これによって、上突出部９０の先端部の下面に、係合部としての上係合部９６が形成されている。
【００４５】
一方、下突出部９２の突出寸法は、上突出部９０よりもやや小さくされている。そして、下突出部９２における突出先端部分の上面は、プランジャ７６の移動方向と略同じ方向に広がる平坦面とされている。これによって、下突出部９２の先端部の上面に、係合部としての下係合部９８が形成されている。
【００４６】
これにより、収容開口部９４は、前方に開口せしめられると共に、上下の開口端部に平坦な上係合部９６と下係合部９８が形成されている。そして、このような収容開口部９４が形成された案内保持部８６は、プランジャ７６の進出位置において、収容開口部９４が伝達部材６８，６８の後方から外嵌せしめられた状態で、伝達部材６８，６８の上下平坦面７２，７４に上下係合部９６，９８が係合せしめられる。このように、本実施形態においては、上係合部９６と下係合部９８を含んで係合部が構成されている。
【００４７】
また、機構部材４６における伝達部材６８，６８の下方における左右方向の略中央部には、後方に延びる裏側導入部材１００が配設されている。裏側導入部材１００は、前方端縁部がカバー部材６２の幅方向の略中央部で、カバー部材６２の前方端縁部と略同じ位置に配設されており、前方端縁部から表側導入部材５２に対応する略一定の略Ｕ字状断面をもって後方に行くに連れて下方に傾斜せしめられた後に、鉛直下方に屈曲せしめられて、後側端部がカバー部材６２の下面を貫通して機構部材４６の下面に開口せしめられている。これにより、裏側導入部材１００に案内された遊技球を、機構部材４６の外側へ案内するようにされている。
【００４８】
そして、このような構造とされた機構部材４６が、入賞口部材４４の後方に取り付けられて、始動入賞装置１０が構成されている。具体的には、カバー部材６２の側面に形成されて左右方向外方に広がる固定板部１０２、１０２が、取付板４８の後方に突出せしめられたボス１０４，１０４に当接せしめられて、ビス１０６，１０６が固定板部１０２，１０２を貫通して裏側からボス１０４，１０４にねじ込まれることによって、取付板４８の裏側にビス止めされている。これにより、カバー部材６２の開口部６４が、取付板４８によって覆蓋せしめられて、カバー部材６２の内部空間が外部から隔離された略密閉状態とされて、針金などをカバー部材６２の内部に挿し込んでプランジャ７６や伝達部材６８，６８の動きを外部から操作する不正行為を防止するようにされている。
【００４９】
そして、入賞口部材４４の裏側に機構部材４６が取り付けられることによって、羽根５６，５６の係合突起６０、６０が、伝達部材６８、６８の切欠７０、７０に差し入れられる。これにより、伝達部材６８、６８と羽根５６、５６が連結されて、プランジャ７６の駆動力が伝達部材６８、６８を介して羽根５６、５６に伝達されるようになっている。
【００５０】
また、入賞口部材４４の裏側に機構部材４６が取り付けられることによって、表側導入部材５２と裏側導入部材１００が接続される。これにより、表側導入部材５２と裏側導入部材１００によって、始動口５４から入賞口部材４４及び機構部材４６の内部を通って機構部材４６の外部に連通せしめられた遊技球の案内路が形成される。
【００５１】
そして、始動入賞装置１０は、遊技板３２に貫設された取付穴１０８を通じて遊技板３２の前方から差し入れられて、取付板４８が遊技板３２にビス止めされる等することによって、遊技板３２に取り付けられる。なお、機構部材４６の下側に開口せしめられた裏側導入部材１００の下側開口部は、始動入賞装置１０の遊技板３２への取り付け状態において、遊技板３２の裏面に形成された図示しない球案内路に接続されている。
【００５２】
このような構造とされた始動入賞装置１０は、ソレノイド７８が消磁されてプランジャ７６が突出せしめられた状態において、案内保持部８６が伝達部材６８、６８の後方から外嵌せしめられることによって、伝達部材６８，６８が案内保持部８６の収容開口部９４内に収容される。これにより、伝達部材６８の上下平坦面７２，７４に対して案内保持部８６の上下係合部９６，９８が当接状態とされて、伝達部材６８の回動軸６６回りの回動が阻止される。これにより、羽根５６、５６の係合突起６０が伝達部材６８，６８の切欠７０に係止されて、羽根５６，５６が起立状態に維持されている。
【００５３】
そして、ソレノイド７８への通電によってソレノイド７８が励磁されて、プランジャ７６が後退した場合には、図６に示すように、案内保持部８６と伝達部材６８，６８との係合状態が解除される。これにより、伝達部材６８、６８の回動軸６６回りの回動が許容されて、羽根５６，５６が自重によって開作動せしめられるようになっている。なお、羽根５６，５６が開作動せしめられた際には、係合突起６０が上方へ変位せしめられることによって、伝達部材６８，６８は、回動軸６６を中心に、切欠７０が上方へ変位せしめられた状態とされる。
【００５４】
そして、再びソレノイド７８への通電が遮断されて消磁せしめられると、コイルスプリング８８の付勢力によって案内保持部８６が伝達部材６８，６８へ向けて進出せしめられる。ここにおいて、案内保持部８６の下突出部９２が伝達部材６８に当接するよりも先に、上突出部９０が、伝達部材６８の上面に当接せしめられる。そして、上突出部９０が更に進出せしめられることによって、伝達部材６８に対して回動軸６６を中心に切欠７０を下方へ回動せしめる駆動力が及ぼされる。これにより、係合突起６０が下方に案内されて、羽根５６，５６が起立状態に戻されるようになっている。
【００５５】
このように、本実施形態に従う構造とされた始動入賞装置１０においては、羽根５６，５６が起立せしめられた状態において、伝達部材６８，６８が案内保持部８６に収容せしめられている。そして、案内保持部８６への収容状態において、伝達部材６８の上下平坦面７２，７４がそれぞれ案内保持部８６の上下係合部９６，９８に当接せしめられることによって、伝達部材６８、６８の回動が強固に阻止されている。これにより、ソレノイド７８が消磁されて羽根５６，５６が起立せしめられた状態下で、無理に羽根５６，５６を開こうとしても、羽根５６，５６の開作動を伝達部材６８，６８で強固に阻止することが出来るのである。
【００５６】
そして、特に本実施形態においては、伝達部材６８の上平坦面７２および下平坦面７４の両面を当接状態で係止することによって、伝達部材６８のガタツキも有効に抑えられている。これにより、羽根５６，５６が無理に開かれようとした場合でも、伝達部材６８を介して回動軸６６に対して曲げ方向の応力が及ぼされるようなことも有効に回避することが出来て、回動軸６６が損傷せしめられるおそれも軽減出来るのである。
【００５７】
また、上係合部９６および下係合部９８の上下両面によって伝達部材６８と係合せしめられることによって、上下係合部９６，９８の何れか一方で押え付ける場合と異なり、伝達部材６８の回動そのものを抑えることが出来る。これにより、伝達部材６８の回動をより強固に阻止することが出来るのである。そして、伝達部材６８の回動を案内保持部８６によって阻止することによって、伝達部材６８の回動が軸部７７に及ぼされることも回避出来ることから、軸部７７を通じてソレノイド７８を損傷するおそれも軽減されるのである。
【００５８】
さらに、本実施形態における始動入賞口１０においては、羽根５６，５６が開作動せしめられた状態において、案内保持部８６と伝達部材６８との係合が解除されて、伝達部材６８の自由な回動が許容されている。従って、例えば開状態とされた羽根５６の側面に遊技球が衝突する等して、羽根５６を起立せしめる向きに力が及ぼされた場合には、羽根５６を起立せしめることが出来る。これにより、羽根５６の動きに変化を与えることが出来ると共に、羽根５６，５６が開状態とされる時間を短縮して入賞球数を抑えることも出来る。また、羽根５６とプランジャ７６との連結状態が解除されることから、羽根５６に対する遊技球の衝突による衝撃がプランジャ７６を介してソレノイド７８に伝達されるようなことも回避することが出来て、繰り返しの打ち当たり等に起因するソレノイド７８の損傷を有効に防止することも可能となる。
【００５９】
そして、本実施形態における始動入賞装置１０においては、特定形状を有する伝達部材６８、６８および案内保持部８６を採用したことによって、簡易な構成をもって、上述の如き多くの優れた効果を得ることが可能となるのである。
【００６０】
以上、本発明の一実施形態について詳述してきたが、これはあくまでも例示であって、本発明は、かかる実施形態における具体的な記載によって、何等、限定的に解釈されるものではない。以下に、前述の実施形態とは異なる好適な構成を幾つか示すが、本発明が以下の具体的な構成に限定されるものではないことが理解されるべきである。なお、以下に記載の各構成において、前述の実施形態と実質的に同じ部材については、前述の実施形態と同一の符号を付することによって、詳細な説明を省略する。
【００６１】
先ず、図７および図８に、本発明の第二の実施形態としての始動入賞装置１２０を示す。始動入賞装置１２０は、前述の第一の実施形態としての始動入賞装置１０における作用部としての案内保持部８６の形状が異ならされたものである。図８にも示すように、本実施形態における作用部としての案内保持部１２２は、前述の案内保持部８６に比して、上突出部１２４の厚さ寸法が小さくされており、収容開口部１２６の高さ寸法が、伝達部材６８の高さ寸法よりもやや大きくされている。そして、案内保持部１２２の上部において前方に突出せしめられた上突出部１２４の突出寸法が、伝達部材６８の前後方向寸法よりも大きくされている。また、上突出部１２４の突出先端部には、下方に突出する作用突部１２８が形成されており、かかる作用突部１２８の下端面と、下突出部９２の下係合部９８との高さ方向の離隔距離が、伝達部材６８の高さ寸法と略等しくなるようにされている。
【００６２】
このような構造とされた始動入賞装置１２０は、前述の始動入賞装置１０と同様に、ソレノイド７８が励磁されて案内保持部１２２が後退せしめられた状態では、案内保持部１２２が伝達部材６８に対して非接触状態とされて伝達部材６８の自由な回動が許容されており、羽根５６，５６が開状態とされている。
【００６３】
そして、ソレノイド７８が消磁されてプランジャ７６が進出せしめられると、案内保持部１２２の作用突部１２８が、伝達部材６８の上面に当接せしめられる。このような状態で、作用突部１２８が更に前方へ変位せしめられることによって、伝達部材６８が作用突部１２８で案内されて、回動軸６６回りで切欠７０を下方へ向かう方向に回動せしめられる。これにより、羽根５６，５６が閉作動せしめられる。
【００６４】
そして、伝達部材６８、６８が、羽根５６，５６が閉状態（起立状態）とされる回動位置（本実施形態においては、図７に示すように、伝達部材６８の上下面の延び出し方向がプランジャ７６の延び出し方向と同じになる位置）まで回動せしめられた段階で、下突出部９２が伝達部材６８の下面に差しかかるようにされており、更にプランジャ７６が突出端位置まで進出せしめられることによって、伝達部材６８の後方から案内保持部１２２が外嵌せしめられる。これにより、図８に示すように、伝達部材６８の下平坦面７４と案内保持部１２２の下係合部９８が係合せしめられて、伝達部材６８が回動不能に保持される。
【００６５】
かかるプランジャ７６の突出端位置において、作用突部１２８は伝達部材６８の前側端部よりも前方に位置せしめられており、伝達部材６８と非接触状態とされている。それと共に、上突出部１２４の下面と伝達部材６８の上面との間には、所定の空隙が形成されており、上突出部１２４と伝達部材６８が非接触状態とされている。
【００６６】
このような構造とされた始動入賞装置１２０においては、伝達部材６８の下平坦面７４と案内保持部１２２の下係合部９８が係合せしめられることによって、伝達部材６８の回動を阻止することが出来る。また、本実施形態からも明らかなように、本発明における案内突部は、伝達部材を回動せしめる際に伝達部材と当接せしめられていれば良いのであって、伝達部材を回動せしめた後は、必ずしも伝達部材との当接状態が維持されている必要は無い。
【００６７】
また、図９および図１０に、本発明における第三の実施形態としての始動入賞装置１４０を示す。本実施形態における始動入賞装置１４０は、作用部としての案内保持部１４２の上部において前方に突出する上突出部９０のみが形成されており、前述の第一の実施形態における案内保持部１２２の下突出部９２が廃された形状とされている。
【００６８】
このような構造とされた始動入賞装置１４０においては、ソレノイド７８が励磁されて羽根５６，５６が開状態とされた状態から、ソレノイド７８が消磁されてプランジャ７６が進出せしめられると、上突出部９０が伝達部材６８の上面に当接して伝達部材６８の切欠７０を下方へ回動せしめることによって、羽根５６，５６を閉作動せしめる。そして、プランジャ７６の突出端位置において、上係合部９６と上平坦面７２が係合せしめられることによって、伝達部材６８が回動不能に保持されるようになっている。
【００６９】
このように、本実施形態においては、案内突部としての上突出部９０と、係合部としての上係合部９６が一体成形されている。このようにすれば、より簡易な構成をもって、上述の如き不正防止効果や損傷防止効果を得ることが出来る。
【００７０】
また、図１１および図１２に、本発明における第四の実施形態としての始動入賞装置１５０を示す。本実施形態においては、作用部としての案内保持部１５２の上部に、前方に突出する案内突部としての上突出部９０が形成されている。また、伝達部材１５４は、前述の伝達部材６８と略同様の形状とされており、上面における先端部に、上方に突出する壁部１５６が形成されている。
【００７１】
このような構造とされた始動入賞装置１５０においては、ソレノイド７８が励磁されて羽根５６，５６が開状態とされた状態から、ソレノイド７８が消磁されてプランジャ７６が進出せしめられると、上突出部９０が伝達部材１５４の壁部１５６の背面に当接せしめられて、伝達部材１５４の切欠７０を下方へ回動せしめることによって、羽根５６，５６を閉作動せしめる。そして、プランジャ７６の突出端位置において、上突出部９０と壁部１５６の当接状態が維持されており、伝達部材１５４の切欠７０の上方への回動が阻止されるようになっている。また、本実施形態においては、上突出部９０と伝達部材１５４の上面との間に所定の空隙が形成されており、羽根５６，５６の閉状態において、上突出部９０と伝達部材１５４の上面は非接触状態とされている。
【００７２】
このように、伝達部材の上面に壁部を形成して、かかる壁部に案内突部を当接せしめること等も可能である。そして、本実施形態によれば、羽根５６がこじ開けられようとして伝達部材１５４の切欠７０が上方へ回動せしめられようとした場合には、上突出部９０に対してコイルスプリング８８の付勢方向と反対方向の力が及ぼされることから、コイルスプリング８８の付勢力を巧く用いて、伝達部材１５４の回動を有効に阻止することが出来るのである。
【００７３】
以上、開閉部材として一対の羽根５６，５６を備えた可変入賞装置に本発明を適用した態様を幾つか例示したが、例えば、図１に示した大入賞口４０のような扉４２を備えた可変入賞装置に本発明を適用することも可能である。
【００７４】
例えば、図１３に、本発明を大入賞口に適用した実施形態としての大入賞装置１６０を示す。大入賞装置１６０は、略箱体形状とされたケース部材１６２の前面に開口せしめられて形成された大入賞口１６４に、扉１６６が開閉可能に取り付けられた構造とされている。
【００７５】
大入賞口１６４は、左右方向に延びる略矩形状とされており、扉１６６は、大入賞口１６４に対応する略矩形状とされて、その両側端部に設けられた水平支軸１６８を中心に回動可能にケース部材１６２に取り付けられている。これにより、扉１６６は、後述する伝達部材１８０による係止力が及ぼされていない状態では、扉１６６に及ぼされる重力の作用によって前方に傾動せしめられるようになっている。そして、扉１６６は、側端部に形成された係止突片１７０がケース部材１６２に当接することによって傾動が制限されるようになっており、これにより、大入賞口１６４が開口せしめられた入賞容易状態が発現せしめられるようになっている。
【００７６】
また、扉１６６の左右一方の端部（本実施形態においては、正面視における左側端部）には、起立状態で水平支軸１６８から下方に突出する係合突部１７２が一体的に形成されている。更に、係合突部１７２には、扉１６６の起立状態において、裏面に凹となる湾曲面１７４が形成されている。
【００７７】
なお、大入賞口１６４の底面１７６は、幅方向の中央部に向けて下る傾斜面とされている。そして、底面１７６の幅方向中央部の下方には、前述の始動入賞装置１０における表側導入部材５２および裏側導入部材１００に相当する導入部材１７８が配設されており、底面１７６の幅方向中央部分が開口せしめられることによって、導入部材１７８と連通せしめられている。これにより、大入賞口１６４に入った遊技球は、底面１７６によって導入部材１７８に案内されて大入賞装置１６０の内部に案内されるようになっている。
【００７８】
そして、大入賞口１６４の後方に、前述の始動入賞装置１０と同様にして、伝達部材１８０およびソレノイド７８が配設されている。伝達部材１８０は、上下が平坦面とされた略板形状とされていると共に、前方に突出するロッド状部１８２を有する形状とされている。そして、伝達部材１８０は、ケース部材１６２に形成された回動軸６６によって回動可能に取り付けられると共に、ロッド状部１８２の先端部分が、扉１６６の湾曲面１７４に係合せしめられている。なお、本実施形態においては、伝達部材１８０は、湾曲面１７４が形成された扉１６６の左右一方の側に一つのみ配設されている。また、扉１６６と伝達部材１８０の間には、壁部１８４が形成されており、伝達部材１８０のロッド状部１８２は、壁部１８４に貫設された貫通孔を通じて扉１６６と係合せしめられている。
【００７９】
また、プランジャ７６の先端に設けられる作用部としての案内保持部１８６は、本実施形態においては、前述の第一の実施形態と略同様に、上下において前方に突出する上下突出部９０，９２を備えた形状とされている。そして、上下突出部９０，９２の間に収容開口部９４が形成されており、プランジャ７６の突出端位置において、収容開口部９４に伝達部材１８０が収容されるようになっている。
【００８０】
このような構造とされた大入賞装置１６０は、遊技板３２の前方から、遊技板３２に貫設された取付穴１０８に差し込まれて、ケース部材１６２の前側端部に形成された取付板部１８８がビス止め等されることによって遊技板３２に取り付けられるようになっている。
【００８１】
そして、本実施形態における大入賞装置１６０においても、前述の始動入賞装置１０等と同様に、ソレノイド７８が励磁されてプランジャ７６が引き込まれた状態下で、案内保持部１８６と伝達部材１８０の係合が解除されて、伝達部材１８０の自由な回動が許容される。これにより、扉１６６が自重によって開作動せしめられるようになっている。
【００８２】
一方、ソレノイド７８が消磁されてコイルスプリング８８の付勢力によってプランジャ７６が進出せしめられた際には、伝達部材１８０の上面に案内保持部１８６の上突出部９０が当接せしめられることによって、伝達部材１８０のロッド状部１８２が下方へ回動せしめられる。これにより、扉１６６の湾曲面１７４とロッド状部１８２との案内作用によって、扉１６６が閉作動せしめられる。
【００８３】
さらに、プランジャ７６が進出せしめられると、伝達部材１８０の後方から案内保持部１８６が外嵌せしめられる。これにより、前述の第一の実施形態としての始動入賞装置１０と略同様に、伝達部材１８０に形成された上下平坦面７２，７４と、案内保持部１８６に形成された上下係合部９６，９８が当接状態とされて、伝達部材１８０の回動が阻止されるようになっている（図５参照）。これにより、扉１６６の閉状態が維持されることとなる。
【００８４】
そして、このような構造とされた大入賞装置１６０においても、扉１６６の閉状態において、伝達部材１８０の回動を案内保持部１８６で強固に阻止することによって、外部からの無理なこじ開け等を有効に防止することが出来るのである。
【００８５】
また、本実施形態からも明らかなように、伝達部材１８０の側に、開閉部材としての扉１６６に向けて突出するロッド状部１８２を設けて、扉１６６の側にロッド状部１８２と係合せしめられる切欠き状の湾曲面１７４を形成する等しても良い。
従って、例えば、前述の第一の実施形態としての始動入賞装置１０において、開閉部材としての羽根５６の側に切欠７０に相当する切欠を形成する一方、伝達部材６８として本実施形態における伝達部材１８０のようなロッド状部１８２を有する伝達部材を採用することによって、伝達部材と開閉部材を連結せしめる等しても良い。また、本実施形態において、前述の始動入賞装置１０のように、扉１６６の側に、前述の羽根５６の係合突起６０に相当する突部を設け、伝達部材１８０の側に前述の切欠７０を形成することによって、扉１６６と伝達部材１８０を連結するなどしても良い。
【００８６】
以上、本発明の幾つかの実施形態について詳述してきたが、これらはあくまでも例示であって、本発明は、かかる実施形態における具体的な記載によって、何等、限定的に解釈されるものではない。
【００８７】
例えば、前述の各実施形態においては、何れも、伝達部材と作用部との係合部位は何れも上下平坦面７２，７４や上下係合部９６，９８などの面によって構成されて互いに面で接触せしめられていたが、例えば、上下係合部９６，９８が形成された部位を突状に形成して、上下平坦面７２，７４に対して点で接触せしめる等しても良い。
【００８８】
また、前述の始動入賞装置１０、１２０，１４０においては、何れも、左右両側に一対設けられていた伝達部材６８，６８は互いに別体として構成されており、羽根５６，５６の開状態においては、互いに自由な回動が許容されていることから、一方の羽根５６に遊技球が衝突した場合には、遊技球が衝突した羽根５６のみが傾動せしめられるようにされていたが、例えば、一対の伝達部材６８，６８に跨って延びる連結部を形成して、これら一対の伝達部材６８，６８を一体成形することによって、一方の羽根５６に遊技球が衝突した際に、伝達部材６８，６８を介して他方の羽根５６を連動せしめること等も可能である。
【００８９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００９０】
【図１】本発明の第一の実施形態としてのパチンコ機を示す正面図。
【図２】同パチンコ機に設けられた始動入賞装置を示す正面説明図。
【図３】同始動入賞装置の断面説明図。
【図４】同始動入賞装置の上面説明図。
【図５】同始動入賞装置に設けられた伝達部材および作用部を示す説明図。
【図６】同始動入賞装置の開状態を示す断面説明図。
【図７】本発明の第二の実施形態としての始動入賞装置を示す断面説明図。
【図８】同始動入賞装置に設けられた伝達部材および作用部を示す説明図。
【図９】本発明の第三の実施形態としての始動入賞装置を示す断面説明図。
【図１０】同始動入賞装置に設けられた伝達部材および作用部を示す説明図。
【図１１】本発明の第四の実施形態としての始動入賞装置を示す断面説明図。
【図１２】同始動入賞装置に設けられた伝達部材および作用部を示す説明図。
【図１３】本発明の更に異なる実施形態としての大入賞装置を示す断面説明図。
【符号の説明】
【００９１】
１０：始動入賞装置、１１：パチンコ機、３２：遊技板、４０：大入賞口、４２：扉、４８：取付板、５２：表側導入部材、５４：始動口、５６：羽根、５８：水平支軸、６０：係合突起、６６：回動軸、６８：伝達部材、７０：切欠、７２：上平坦面、７４：下平坦面、７６：プランジャ、７８：ソレノイド、８６：案内保持部、９０：上突出部、９２：下突出部、９６：上係合部、９８：下係合部、１００：裏側導入部材
【図１】
0004816228.tif 000002
【図２】
0004816228.tif 000003
【図３】
0004816228.tif 000004
【図４】
0004816228.tif 000005
【図５】
0004816228.tif 000006
【図６】
0004816228.tif 000007
【図７】
0004816228.tif 000008
【図８】
0004816228.tif 000009
【図９】
0004816228.tif 000010
【図１０】
0004816228.tif 000011
【図１１】
0004816228.tif 000012
【図１２】
0004816228.tif 000013
【図１３】
0004816228.tif 000014